(57)【特許請求の範囲】
【請求項１】
密閉容器内に溜った液体の液面の高さに応じて作動流体の給気弁口を開閉する給気弁体と作動流体の排気弁口を開閉する排気弁体の開閉を切り換えて、初めに排気弁口を開き給気弁口を閉じて流入側逆止弁を通して密閉容器内に液体を流入させ、次いで排気弁口を閉じ給気弁口を開いて密閉容器内に溜まった液体を圧送側逆止弁を通して圧送する液体圧送装置において、流入側逆止弁の上流側に液体中の異物を捕捉するフィルタが配置されており、フィルタと流入側逆止弁の間に排気弁口からの作動流体排出部が連通されていることを特徴とする液体圧送装置。
【発明の詳細な説明】
【技術分野】
【０００１】
本発明は、温水や燃料等の液体を圧送する液体圧送装置に関するものである。本発明の液体圧送装置は、廃液ピットに溜まった液体を廃液処理箇所に送る装置として特に適するものである。
【背景技術】
【０００２】
従来の液体圧送装置は、例えば特許文献１に開示されている。これは、密閉容器内に溜った液体の液面の高さに応じて作動流体の給気弁口を開閉する給気弁体と作動流体の排気弁口を開閉する排気弁体の開閉を切り換えて、初めに排気弁口を開き給気弁口を閉じて流入側逆止弁を通して密閉容器内に液体を流入させ、次いで排気弁口を閉じ給気弁口を開いて密閉容器内に溜まった液体を圧送側逆止弁を通して圧送する液体圧送装置において、流入側逆止弁の上流側に排気弁口からの作動流体排出部を連通させたものである。
【先行技術文献】
【特許文献】
【０００３】
【特許文献１】特開２００５−３２５７７５
【発明の概要】
【発明が解決しようとする課題】
【０００４】
上記従来の液体圧送装置は、液体中の異物により比較的短期間に正常に動作できなくなる問題点があった。
【０００５】
したがって本発明が解決しようとする課題は、液体中の異物の流入を防止できる液体圧送装置を提供することである。
【課題を解決するための手段】
【０００６】
上記の課題を解決するために、本発明の液体圧送装置は、密閉容器内に溜った液体の液面の高さに応じて作動流体の給気弁口を開閉する給気弁体と作動流体の排気弁口を開閉する排気弁体の開閉を切り換えて、初めに排気弁口を開き給気弁口を閉じて流入側逆止弁を通して密閉容器内に液体を流入させ、次いで排気弁口を閉じ給気弁口を開いて密閉容器内に溜まった液体を圧送側逆止弁を通して圧送する液体圧送装置において、流入側逆止弁の上流側に液体中の異物を捕捉するフィルタを配置し、フィルタと流入側逆止弁の間に排気弁口からの作動流体排出部を連通させることを特徴とするものである。
【発明の効果】
【０００７】
本発明によれば、流入側逆止弁の上流側に液体中の異物を捕捉するフィルタを配置し、フィルタと流入側逆止弁の間に排気弁口からの作動流体排出部を連通させることにより、液体中の異物をフィルタで捕捉することができ、またフィルタを排気弁口から排気される作動流体により逆洗することができるという優れた効果を奏する。
【図面の簡単な説明】
【０００８】
【図１】本発明の実施の形態に係わる液体圧送装置の断面図である。
【発明を実施するための形態】
【０００９】
以下、本発明の実施の形態について、図１を参照して説明する。本実施例の液体圧送装置１は密閉容器２内にフロート３と切替え弁４及びスナップ機構５が配されたものである。密閉容器２は本体部７と蓋部８が図示しないネジによって結合され、内部に液体溜空間１０が形成されたものである。蓋部８に作動流体導入部１１，作動流体排出部１３及び液体流入部１６が設けられ、本体部７に管部材１５により液体排出部１７が設けられている。作動流体導入部１１の密閉容器２内方側に給気弁１８が取り付けられ、作動流体排出部１３の密閉容器２内方側に排気弁１９が取り付けられている。給気弁１８は弁ケース２０と給気弁体２１及び下部昇降棒２２によって構成される。弁ケース２０は軸方向に貫通孔を有し、貫通孔の上部に給気弁口２４が形成されている。弁ケース２０の中間部の周囲壁には給気弁口２４と密閉容器２内方側とを連通する４つの開口２５が設けられている。給気弁体２１は球状で給気弁口２４の作動流体導入部１１側に位置し、下端に下部昇降棒２２が溶接により一体的に取り付けられている。下部昇降棒２２の下部は密閉容器２内方側に抜け、連設板２７に当接するようになっている。連設板２７は弁軸操作棒２８に連結され、弁軸操作棒２８はスナップ機構５と連結されている。排気弁１９は弁ケース２９と排気弁体３０と昇降棒３１によって構成される。弁ケース２９は軸方向に貫通孔を有し、貫通孔の上部に排気弁口３２があり、排気弁口３２の下から昇降棒３１の上端に保持固定された排気弁体３０が当接して開閉を行うものである。昇降棒３１の下端はピンで弁軸操作棒２８に連結されている。給気弁１８と排気弁１９で切替え弁４が構成され、給気弁１８が開くと排気弁１９は閉じ、給気弁１８が閉じると排気弁１９は開く。
【００１０】
フロート３はフロートアーム３４と揺動軸３５を介してブラケット３６によって支持されている。ブラケット３６は図示しないネジによって密閉容器２の蓋部８に一体的に取り付けられている。スナップ機構５はフロートアーム３４と副アーム３７及び圧縮状態のコイルバネ３８によって構成される。フロートアーム３４は平行に対向した２枚の板よりなり、左端にフロート３が固着され、右側部が揺動軸３５によって回転可能に支持されている。従って、フロート３は揺動軸３５を中心として上下に揺動する。フロートアーム３４の左側部に揺動軸３５と平行な第１の軸３９が掛け渡されている。第１の軸３９に第１バネ受け部材４０が回転可能に支持されている。また、揺動軸３５には副アーム３７が回転可能に支持されている。副アーム３７は平行に対向した２枚の板よりなり、左端部に揺動軸３５と平行な第２の軸４１が掛け渡されている。第２の軸４１に第２バネ受け部材４２が回転可能に支持されている。第１及び第２のバネ受け部材４０，４２の間に圧縮状態のコイルバネ３８が配置されている。フロートアーム３４には半円状に長孔４３が設けられ、長孔４３内に揺動軸３５と平行なストッパー軸４４がブラケット３６によって支持されている。ストッパー軸４４は副アーム３７の回転範囲を規制する。副アーム３７の右端部に揺動軸３５と平行な連結軸４５が貫通して取り付けられ、連結軸４５に動力伝達軸２８の下端が連結されている。揺動軸３５と平行でフロートアーム３４の揺動範囲を規制するストッパー軸５１，５２がブラケット３６によって支持されている。蓋部８の隔壁５３に連通部５４が設けられ、連通部５４に流入側逆止弁口５５が開けられた流入側逆止弁座５６が図示しないネジによって隔壁５３に一体的に取付けられている。流入側逆止弁口５５を密閉容器２内方側へ向かって開く流入側逆止弁体５７が流入側逆止弁座５６に取り付けられている。流入側逆止弁座５６と流入側逆止弁体５７により流入側逆止弁５８が構成される。流入側逆止弁５８の上流側に液体中の異物を捕捉する多数の濾し孔を有する円板状のフィルタ５９を配置してスナップリング６０で蓋部８に取り付ける。フィルタ５９と流入側逆止弁５９の間に排気弁口３２からの作動流体排出部１３を連通させる。管部材１５に液体圧送側へ向かって開く図示しない圧送側逆止弁が取り付けられる。
【００１１】
次に本実施の形態の液体圧送装置１の作用について、作動流体として圧縮空気を用いた場合の一連の動作手順を追うことによって説明する。本実施例の液体圧送装置１は廃液ピット内に設置され、作動流体導入部１１が高圧の圧縮空気源に接続され、管部材１５が廃液処理箇所へ接続される。液体圧送装置１の液体溜空間１０内に廃液が無い場合は、図１に示すようにフロート３は底部に位置する。このとき、切替え弁４における給気弁１８が閉じられ、排気弁１９が開かれている。廃液ピット内の廃液は液体流入部１６からフィルタ５９と流入側逆止弁５８を通して液体溜空間１０内に溜る。このとき、廃液中の異物はフィルタ５９で捕捉される。液体溜空間１０内に溜った復水によってフロート３が浮上すると、フロートアーム３４が揺動軸３５を中心に時計回り方向に回転し、コイルバネ３８との連結部である第１の軸３９が上方に移動して揺動軸３５と第２の軸４１を結ぶ線の延長線上に近付き、コイルバネ３８が圧縮変形する。そしてフロート３が更に浮上して第１の軸３９が揺動軸３５と第２の軸４１を結ぶ線の延長線上を越えると、コイルバネ３８が急激に変形を回復し、副アーム３７が反時計回り方向に回転して連結軸４５が上方にスナップ移動する。その結果、連結軸４５に連結された動力伝達軸２８が上側にスナップ移動し、給気弁１８が開かれると共に排気弁１９が閉じられる。
【００１２】
給気弁１８が開かれると作動流体導入部１１から密閉容器２内に高圧の圧縮空気が導入され、内部の圧力が上昇し、液体溜空間１０に溜った廃液は、空気圧に押されて管部材１５から図示しない圧送側逆止弁を介して廃液処理箇所へ排出される。廃液の排出によって液体溜空間１０内の水位が低下すると、フロート３が降下して、フロートアーム３４が揺動軸３５を中心に反時計回り方向に回転し、コイルバネ３８との連結部である第１の軸３９が下方に移動して揺動軸３５と第２の軸４１を結ぶ線の延長線上に近付き、コイルバネ３８が圧縮変形する。そしてフロート３が更に降下して第１の軸３９が揺動軸３５と第２の軸４１を結ぶ線の延長線上を越えると、コイルバネ３８が急激に変形を回復し、副アーム３７が時計回り方向に回転して連結軸４５が下方にスナップ移動する。その結果、連結軸４５に連結された動力伝達軸２８が下側にスナップ移動し、給気弁１８が閉じられると共に排気弁１９が開かれる。排気弁１９が開かれると作動流体排出部１３からフィルタ５９と流入側逆止弁５８の間に高圧の圧縮空気が導入され、フィルタ５９が逆洗されてフィルタ５９に捕捉されていた異物が廃液ピット側へ戻される。
【００１３】
上記の実施の形態においては、フィルタ及び流入側逆止弁を密閉容器に内装したが、フィルタや流入側逆止弁やその両方を密閉容器に外装することもできる。また作動流体排出部を密閉容器に内装したが、作動流体排出部を密閉容器に外装することもできる。
【産業上の利用可能性】
【００１４】
本発明は、廃液ピットに溜まった液体に限らず、温水や燃料等の液体を圧送する液体圧送装置に利用することができる。
【符号の説明】
【００１５】
１  液体圧送装置
２  密閉容器
３  フロート
４  切替え弁
５  スナップ機構
１０  液体溜空間
１１  作動流体導入部
１３  作動流体排出部
１６  液体流入部
１７  液体排出部
１８  給気弁
１９  排気弁
２１  給気弁体
２４  給気弁口
３０  排気弁体
３２  排気弁口
５８  流入側逆止弁
５９  フィルタ
【図１】
0005937820.tif 000002